(57)【特許請求の範囲】
【請求項１】
側面板に縦溝を形成したキャビネットと、裏面側に多数の縦方向の凹凸条が形成された間口調整部材とから成り、当該間口調整部材は、キャビネットの側面板と壁面との間の寸法に応じて前記いずれかの凹条の位置で切断され、切断後の該凹条の底部に相当する部分が前記キャビネット側面板の縦溝へ嵌合装着されるものであり、且つ、左右を反転して使用できるものであって、左右いずれか一方の端部の凸条の幅寸法及び凹条の幅寸法が、他の凸条の幅寸法より大きく形成されていることを特徴とするキャビネットの間口調整構造。
【発明の詳細な説明】
【０００１】
【発明の属する技術分野】
本発明は、キャビネットの側面板と、壁面との間に隙間を無くすことのできる間口調整構造に関するものである。
【０００２】
【従来の技術】
従来、便器本体の後部上面に載置される洗浄タンクのカバーと、壁面との間に収納空間を設け、該収納空間にキャビネットを配置する技術として、図５に示すものがある。この従来技術は、便器本体１の後部上面に載置される洗浄タンク２を覆うキャビネット３を箱状に形成し、便器本体１と洗浄タンク２を組み付けた後、洗浄タンク２の上方からこれに被せて施工している。そして、該キャビネット３とトイレ室壁面４との間には収納用のキャビネット５を配設するようにしている。これにより、洗浄タンク２を隠蔽することが可能であり、外観上の見栄えが良くなる。
【０００３】
【発明が解決しようとする課題】
ところで、トイレ室の横幅寸法は、建物の間取りや現場において異なる。そのため、キャビネット３の両側面板３Ａとの間に収納キャビネット等を配設する場合には、予め現場の寸法に合わせた収納キャビネット５の大きさに製造するか、若しくは寸法の異なる収納キャビネットを複数種類準備しておき、選択して現場寸法に合わせるようにしなければならない。ところが、この場合であっても、収納キャビネットと壁面との間に隙間が形成されることは避けられず、埃やゴミなどが堆積し、清掃もしづらいという欠点があった。
【０００４】
【課題を解決するための手段】
本発明は従来の前記課題に鑑みてこれを改良除去したものであって、キャビネットと壁面との隙間を無くすべく寸法調整のできる技術を提供せんとするものである。
【０００５】
前記課題を解決するために本発明が採用した請求項１の手段は、側面板に縦溝を形成したキャビネットと、裏面側に多数の縦方向の凹凸条が形成された間口調整部材とから成り、当該間口調整部材は、キャビネットの側面板と壁面との間の寸法に応じて前記いずれかの凹条の位置で切断され、切断後の該凹条の底部に相当する部分が前記キャビネット側面板の縦溝へ嵌合装着されるものであり、且つ、左右を反転して使用できるものであって、左右いずれか一方の端部の凸条の幅寸法及び凹条の幅寸法が、他の凸条の幅寸法より大きく形成されていることを特徴とするキャビネットの間口調整構造である。
この発明によれば、室内に配設したキャビネットの側面板と壁面との間に、隙間が形成される場合に、間口調整部材の凹凸条を利用してこれを切断し、側面板と壁面との間の寸法に合わせることができる。従って、隙間なくキャビネットを配設することができ、見栄えが良好である。また埃やゴミ等が堆積する等のこともない。
【０００６】
また、左右を反転して使用できるものであって、左右いずれか一方の端部の凸条の幅寸法及び凹条の幅寸法が、他の凸条の幅寸法より大きく形成されているので、間口調整部材を、凹条の部分で切断したときに、キャビネットの側面板から壁面までの寸法が、間口調整部材の一方側の端面からだと凸条の部分に該当し、切断が困難である場合に、左右反転させて反対側の端面からの寸法にすれば切断位置が凹条の部分に該当するようになり、切断が容易となる。
【０００７】
【発明の実施の形態】
以下に、本発明の構成を図面に示す発明の実施の形態に基づいて説明すると次の通りである。図１及び図２は本発明の第１の実施の形態に係るものであり、図１はトイレ室内へ組み込んだ状態を示すキャビネット６の正面図、図２の図（Ａ）はキャビネット６の天板を取り除いた状態の平面図、図（Ｂ）は背板と左右の側面板との関係を示す背面側から見た斜視図、図（Ｃ）は扉の部分拡大横断面図である。同図に示す如く、この実施の形態のキャビネット６は、背板７と、左右の側面板８Ａ，８Ｂと、前面板９と、天板１０とからなる。
【０００８】
背板７は、図２の図（Ａ）及び図（Ｂ）に示すように、トイレ室の背面側の壁面１１Ａの間柱１２若しくは横桟等があればこれらの建物躯体の骨組みに固定される。そして、この背板７に対して左右の側面板８Ａ，８Ｂがビス等により固定される。固定の順序としては、背板７に左右の側面板８Ａ，８Ｂを取り付けた後、背板７を建物躯体側へビス１３等により固定するようにすればよい。左右の側面板８Ａ，８Ｂの下端側は、Ｌ型金具等を用いて床に固定すればよい。なお、左右の側面板８Ａ，８Ｂの背面壁１１Ａ側の下部には、配管スペース又は幅木用の逃がし８Ｃが切欠き形成されている。更に、左右の側面板８Ａ，８Ｂの上部壁面よりには、壁面１１Ａへ既に設置してある横桟若しくは補強材などの逃がし８Ｄが形成されている。
【０００９】
前面板９は、上下に分割され、更に下部側が左右に分割されており、上部分割片９Ａと、下部左側分割片９Ｂと、下部右側分割片９Ｃとから成る。上下に分割する位置は、便器本体１５のリム通水路１６の下方側にしている。これは、上下の分割ラインＨが便器本体１５の上面よりも低い位置に形成され、安定した印象を与えるからである。また前面板９の上下の分割片９Ａ〜９Ｃを、便器本体１５の形状に沿わせるように製作することが容易となるからである。
【００１０】
上部分割片９Ａの場合は、便器本体１５の後部上面に上方から跨がることのできるようにコ字状の突出部１７Ａ，１７Ｂを形成し、矩形状の切欠き１８を設ければよい。また下部側の左右の分割片９Ｂ及び９Ｃについては、内側端面をそれぞれ便器本体１５の左右側面形状に倣った形状にすればよく、リム通水路１６の下方側の凹部に対応する位置には、該凹部に向かって突出する凸部１９Ａ，１９Ｂが形成されている。これにより、便器本体１５の左右側面のそれぞれについて独立して製作できるので、その作業が極めて容易である。これらの各分割片９Ａ〜９Ｃは、左右の側面板８Ａ，８Ｂの木口にダボ嵌合方式又はビスなどにより固定されている。
【００１１】
なお、天板１０には、洗浄タンク２１の手洗い吐水管２２を含めた手洗い鉢部１４を配設するための開口２３が形成されている。
【００１２】
そして、洗浄タンク２１のカバーとしてのキャビネット６と、左右の壁面１１Ｂ，１１Ｃとの間には、収納空間Ａ，Ｂが形成されており、該収納空間Ａ，Ｂには、予め小さく設計された収納キャビネット２４及び２５が配設されている。このキャビネット２４及び２５は、前面の開閉扉２４Ａ，２５Ａを開閉することで、内部へ物を収納したり、内部から取り出すことが可能である。
【００１３】
而して、収納キャビネット２４，２５の側面板２４Ｂ，２５Ｂには、その前面側寄りの位置に縦方向の溝２６が形成されている。この縦溝２６には間口調整部材２７を差し込んで装着することが可能である。間口調整部材２７は、図４の平面図に示すように、凸条２８と凹条２９とが交互に形成されており、例えば左端側の凸条２８の幅寸法はＸに設定されており、それ以外の凸条２８の幅寸法はＹに設定されている。また凹条２９の幅寸法はＸに設定されている。そして、この間口調整部材２７は、収納キャビネット２４，２５の側面板２４Ｂ，２５Ｂから壁面１１Ｂ，１１Ｃまでの寸法に応じて切断して使用されるものである。
【００１４】
今、必要な寸法が、Ｚであると仮定すると、図４に示す寸法関係においては、間口調整部材２７の左端側からだと切断位置が左端側から３番目の凸条２８の位置となり、切断作業が困難となる。このような場合は、左右を反転して用いればよい。反転させた場合、前記切断寸法Ｚの位置は、図４に示す右端側からＺの位置となり、凹条２９の部分に該当する。従って、切断作業が容易である。
【００１５】
このようにして必要な寸法に切断した間口調整部材２７は、切断した凹条２９の底部に相当する部分２９Ａが図３に示すように、キャビネット側面板２４Ｂ，２５Ｂの縦溝２６に上方からスライドさせて嵌合装着される。これにより、キャビネット２４及び２５と壁面１１Ｂ及び１１Ｃとの間に隙間が形成されることはなくなり、見栄えが極めて良好となる。また間口の調整が極めて容易となり、予め収納キャビネット２４及び２５を寸法を変えて他種類準備する等の面倒なことは不要であり、製造コストの低減及び運搬・管理の容易化並びに施工作業の容易化等が図れる。
【００１６】
ところで、本発明は上述した実施の形態に限定されるものではなく、適宜の変更が可能である。例えば、収納キャビネット２４，２５と間口調節部材２７との係合関係は、縦溝６と凹条底部２９Ａとの嵌合以外に、収納キャビネット２４，２５側に連続した又は部分的なフックを設け、間口調整部材２７側に前記フックに対応してこれに係合するフックを設け、上方側からスライドさせて係合させるようにしてもよい。
【００１７】
【発明の効果】
以上説明したように本発明にあっては、キャビネットの側面板に縦溝を形成し、裏面側に多数の縦方向の凹凸条が形成された間口調整部材を準備し、キャビネットの側面板と壁面との間の寸法に応じて前記いずれかの凹条の位置で切断し、該凹条の底部に相当する部分を前記キャビネット側面板の縦溝へ嵌合装着している。この発明によれば、室内に配設したキャビネットの側面板と壁面との間に、隙間が形成される場合に、間口調整部材の凹凸条を利用してこれを切断し、側面板と壁面との間の寸法に合わせることができる。従って、建物躯体の室内等の間口寸法に合わせて隙間なくキャビネットを配設することができ、見栄えが良好である。また埃やゴミ等が堆積する等のこともない。
【００１８】
また本発明の間口調整部材は、左右を反転して使用でき、左右いずれか一方の端部の凸条の幅寸法及び凹条の幅寸法が、他の凸条の幅寸法より大きく形成されているので、キャビネットの側面板から壁面までの寸法が、間口調整部材の一方側の端面からだと凸条の部分に該当し、切断が困難である場合であっても、反対側の端面からだと凹条の部分に該当し、切断が容易となり、施工が簡単である。
【図面の簡単な説明】
【図１】本発明の一の実施の形態に係るキャビネットを、トイレ室内へ組み込んだ状態の正面図である。
【図２】本発目の一実施の形態に係るものであり、図（Ａ）はキャビネットの天板を取り除いた状態の平面図、図（Ｂ）は背板と左右の側面板との関係を示す背面側から見た斜視図である。
【図３】本発明の一実施の形態に係るものであり、収納キャビネットと間口調整部材との関係を示す斜視図である。
【図４】本発明の一実施の形態に係るものであり、間口調整部材の平面図である。
【図５】従来技術に係る便器本体へ取り付けたキャビネットの斜視図である。
【符号の説明】
６…キャビネット、７…背板、８Ａ，８Ｂ…側面板、１１Ａ…トイレ室背面壁面、１１Ｂ，１１Ｃ…トイレ室左右の壁面、１５…便器本体、２１…洗浄タンク、２４，２５…収納キャビネット、２４Ｂ，２５Ｂ…側面板、２６…縦溝、２７…間口調整部材、２８…凸条、２９…凹条
【図１】
0004114043.tif 000002
【図２】
0004114043.tif 000003
【図３】
0004114043.tif 000004
【図４】
0004114043.tif 000005
【図５】
0004114043.tif 000006